(57)【要約】【課題】ノイズの発生を抑制できるとともに低コスト化を容易に図れる表示装置の提供。【解決手段】フィラメント電圧生成部３６を、入力端子がバイアス用トランジスタ３５２のエミッタに、出力端子がフィラメント用トランジスタ３６２のベースに接続されたフィラメント用ツェナーダイオード３６１と、エミッタがフィラメント３２１のプラス端子３２１Ｂに、コレクタがフィラメント用ツェナーダイオード３６１の入力端子とマイナス端子３２１Ａとの接続点に接続されたフィラメント用トランジスタ３６２と、一端がプラス端子３２１Ｂとフィラメント用トランジスタ３６２のエミッタとの接続点に接続され、他端が接地されたフィラメント用抵抗３６３と、で構成した。【選択図】図２
2009150918.tif 000002
【特許請求の範囲】
【請求項１】
電源電圧を発生する電源装置と、フィラメントを有する蛍光表示管と、を備えた表示装置に設けられ、前記電源電圧を利用して前記蛍光表示管を駆動する蛍光表示管駆動装置であって、
前記電源装置と、前記蛍光表示管との間に設けられ、前記電源電圧からフィラメント電圧を生成して前記フィラメントに供給するフィラメント電圧生成部を具備し、
このフィラメント電圧生成部は、
フィラメント用ツェナーダイオードと、
ＰＮＰ型のフィラメント用トランジスタと、
フィラメント用抵抗と、を備え、
前記フィラメント用ツェナーダイオードは、入力端子が前記電源装置と前記フィラメントのマイナス端子との接続点に接続され、出力端子が前記フィラメント用トランジスタのベースに接続され、
前記フィラメント用トランジスタは、エミッタが前記フィラメントのプラス端子に接続され、コレクタが前記フィラメント用ツェナーダイオードの入力端子と前記フィラメントのマイナス端子との接続点に接続され、
前記フィラメント用抵抗は、一端が前記フィラメントのプラス端子と前記フィラメント用トランジスタのエミッタとの接続点に接続され、他端が接地された
ことを特徴とする蛍光表示管駆動装置。
【請求項２】
請求項１に記載の蛍光表示管駆動装置において、
前記フィラメント電圧生成部は、ダイオード用補助抵抗を備え、
このダイオード用補助抵抗は、一端が前記フィラメント用ツェナーダイオードの出力端子と前記フィラメント用トランジスタのベースとの接続点に接続され、他端が接地された
ことを特徴とする蛍光表示管駆動装置。
【請求項３】
請求項１または請求項２に記載の蛍光表示管駆動装置において、
前記電源装置と、前記フィラメント電圧生成部との間に設けられ、前記電源電圧からカットオフバイアス電圧を生成するカットオフバイアス電圧生成部を具備した
ことを特徴とする蛍光表示管駆動装置。
【請求項４】
請求項３に記載の蛍光表示管駆動装置において、
前記カットオフバイアス電圧生成部は、
バイアス用ツェナーダイオードと、
バイアス用抵抗と、
ＰＮＰ型のバイアス用トランジスタと、を備え、
前記バイアス用ツェナーダイオードは、入力端子が前記電源装置に接続され、出力端子が前記バイアス用トランジスタのベースに接続され、
前記バイアス用抵抗は、一端が前記バイアス用ツェナーダイオードの出力端子と前記バイアス用トランジスタのベースとの接続点に接続され、他端が接地され、
前記バイアス用トランジスタは、エミッタが前記フィラメント用ツェナーダイオードの入力端子と前記フィラメント用トランジスタのコレクタと前記フィラメントのマイナス端子との接続点に接続され、コレクタが前記バイアス用ツェナーダイオードの入力端子と前記電源装置との接続点に接続された
ことを特徴とする蛍光表示管駆動装置。
【請求項５】
電源電圧を発生する電源装置と、
グリッド、アノード、および、フィラメントを有する蛍光表示管と、
前記電源電圧を利用して前記蛍光表示管を駆動する請求項３または請求項４に記載の蛍光表示管駆動装置と、
前記グリッドおよび前記アノードを駆動するグリッドアノード駆動装置と、
を具備し、
前記グリットアノード駆動装置は、前記電源装置と、前記蛍光表示管駆動装置の前記バイアス用ツェナーダイオードの入力端子と、前記バイアス用トランジスタのコレクタとの接続点に接続され、前記電源電圧を利用して前記グリッドおよび前記アノードを駆動する
ことを特徴とする表示装置。
【請求項６】
電源電圧を発生する第１の電源装置と、
グリッド、アノード、および、フィラメントを有する蛍光表示管と、
前記第１の電源装置からの電源電圧を利用して前記蛍光表示管を駆動する請求項１または請求項２に記載の蛍光表示管駆動装置と、
電源電圧を発生する第２の電源装置と、
この第２の電源装置からの電源電圧を利用して前記グリッドおよび前記アノードを駆動するグリッドアノード駆動装置と、
を具備したことを特徴とする表示装置。
【請求項７】
所定の処理を実施する処理部と、
請求項５または請求項６に記載の表示装置と、
前記処理の処理内容を前記表示装置で表示させる表示制御部と、
を具備したことを特徴とする電子機器。
【発明の詳細な説明】
【技術分野】
【０００１】
本発明は、蛍光表示管のフィラメントを駆動する蛍光表示管駆動装置、この蛍光表示管駆動装置を備えた表示装置、および、この表示装置を備えた電子機器に関する。
【背景技術】
【０００２】
蛍光表示管は、３極真空管の一種であり、アノードと、グリッドと、フィラメントと、を備えている。この蛍光表示管は、蛍光体の発光を利用して、文字や数字などを表示する。
【０００３】
このような蛍光表示管のフィラメントを駆動する技術として、トランスを用いた構成が知られている（例えば、特許文献１参照）。また、トランスを用いずに、スイッチング素子を用いた構成も知られている（例えば、特許文献２，３参照）。
【０００４】
特許文献１に記載のものは、２個のコイルがトランスの２次巻線に並列に接続されている。そして、これら２個のコイルの接続点に、抵抗とツェナーダイオードとで直流電圧を分圧した電圧を加える構成が採られている。
【０００５】
特許文献２に記載のものは、フィラメントの両端にそれぞれトランジスタから構成される主電流路が接続されている。そして、この主電流路のトランジスタをオンオフさせ、フィラメントに交流電圧を印加する構成が採られている。
【０００６】
特許文献３に記載のものは、昇圧コイルと、スイッチングトランジスタと、を備えている。スイッチングトランジスタのゲートには、抵抗を介してＰＷＭ制御回路が接続されている。また、昇圧コイルと、スイッチングトランジスタのドレインと接続点には、電圧調整用抵抗を介してフィラメント用端子が接続されている。
そして、スイッチングトランジスタをオンオフさせることで、フィラメントに電圧を印加する構成が採られている。
【０００７】
【特許文献１】特開２０００−３５６９６９号公報
【特許文献２】特開２００４−２９４９６号公報
【特許文献３】特開２００５−７０５９５号公報
【発明の開示】
【発明が解決しようとする課題】
【０００８】
しかしながら、特許文献１〜３のような構成では、トランスを利用するため、低コスト化を容易に図ることができないおそれがあるという問題点が一例として挙げられる。さらには、トランスやスイッチング素子によるノイズが発生するおそれがあるという問題点も一例として挙げられる。
【０００９】
本発明は、ノイズの発生を抑制できるとともに低コスト化を容易に図れる蛍光表示管駆動装置、表示装置、および、電子機器を提供することを１つの目的とする。
【課題を解決するための手段】
【００１０】
請求項１に記載の発明は、電源電圧を発生する電源装置と、フィラメントを有する蛍光表示管と、を備えた表示装置に設けられ、前記電源電圧を利用して前記蛍光表示管を駆動する蛍光表示管駆動装置であって、前記電源装置と、前記蛍光表示管との間に設けられ、前記電源電圧からフィラメント電圧を生成して前記フィラメントに供給するフィラメント電圧生成部を具備し、このフィラメント電圧生成部は、フィラメント用ツェナーダイオードと、ＰＮＰ型のフィラメント用トランジスタと、フィラメント用抵抗と、を備え、前記フィラメント用ツェナーダイオードは、入力端子が前記電源装置と前記フィラメントのマイナス端子との接続点に接続され、出力端子が前記フィラメント用トランジスタのベースに接続され、前記フィラメント用トランジスタは、エミッタが前記フィラメントのプラス端子に接続され、コレクタが前記フィラメント用ツェナーダイオードの入力端子と前記フィラメントのマイナス端子との接続点に接続され、前記フィラメント用抵抗は、一端が前記フィラメントのプラス端子と前記フィラメント用トランジスタのエミッタとの接続点に接続され、他端が接地されたことを特徴とする蛍光表示管駆動装置である。
【００１１】
請求項５に記載の発明は、電源電圧を発生する電源装置と、グリッド、アノード、および、フィラメントを有する蛍光表示管と、前記電源電圧を利用して前記蛍光表示管を駆動する請求項３または請求項４に記載の蛍光表示管駆動装置と、前記グリッドおよび前記アノードを駆動するグリッドアノード駆動装置と、を具備し、前記グリットアノード駆動装置は、前記電源装置と、前記蛍光表示管駆動装置の前記バイアス用ツェナーダイオードの入力端子と、前記バイアス用トランジスタのコレクタとの接続点に接続され、前記電源電圧を利用して前記グリッドおよび前記アノードを駆動することを特徴とする表示装置である。
【００１２】
請求項６に記載の発明は、電源電圧を発生する第１の電源装置と、グリッド、アノード、および、フィラメントを有する蛍光表示管と、前記第１の電源装置からの電源電圧を利用して前記蛍光表示管を駆動する請求項１または請求項２に記載の蛍光表示管駆動装置と、電源電圧を発生する第２の電源装置と、この第２の電源装置からの電源電圧を利用して前記グリッドおよび前記アノードを駆動するグリッドアノード駆動装置と、を具備したことを特徴とする表示装置である。
【００１３】
請求項７に記載の発明は、所定の処理を実施する処理部と、請求項５または請求項６に記載の表示装置と、前記処理の処理内容を前記表示装置で表示させる表示制御部と、を具備したことを特徴とする電子機器である。
【発明を実施するための最良の形態】
【００１４】
以下、本発明の一実施形態を図面に基づいて説明する。
なお、本実施形態では、本発明の蛍光表示管駆動装置および表示装置を備えた電子機器として、楽曲などを再生するオーディオ装置を例示して説明する。
【００１５】
［オーディオ装置の構成］
まず、オーディオ装置の構成について説明する。
図１は、本発明の一実施形態に係るオーディオ装置の概略構成を示すブロック図である。図２は、表示装置の概略構成を示す模式図である。
【００１６】
図１に示すように、電子機器としてのオーディオ装置１は、スピーカ２に接続されている。このオーディオ装置１は、図示しない記録媒体に記録された楽曲を再生して、スピーカ２から出力する。そして、オーディオ装置１は、表示装置３と、制御部４と、を備えている。
【００１７】
表示装置３は、制御部４の制御に基づいて、制御部４の処理内容として再生する楽曲名や音量などを表示する。この表示装置３は、図２に示すように、ＤＣ（Direct Current）電源装置３１と、蛍光表示管３２と、グリッドアノード駆動装置としてのＶＦＤ（Vacuum Fluorescent Display）ドライバ３３と、蛍光表示管駆動装置３４と、を備えている。
【００１８】
ＤＣ電源装置３１は、ＶＦＤドライバ３３と、蛍光表示管駆動装置３４に接続されている。このＤＣ電源装置３１は、直流の電源電圧を発生させて、ＶＦＤドライバ３３と、蛍光表示管駆動装置３４と、へ供給する。
【００１９】
蛍光表示管３２は、ＶＦＤドライバ３３と、蛍光表示管駆動装置３４と、に接続されている。この蛍光表示管３２は、複数のフィラメント３２１と、図示しないグリッドと、図示しない複数のアノードと、を備えている。
フィラメント３２１は、蛍光表示管駆動装置３４に接続されている。このフィラメント３２１は、蛍光表示管駆動装置３４から供給されるフィラメント電圧ＥＦにより熱せられて、電子を放出する。
グリッドおよびアノードは、ＶＦＤドライバ３３に接続されている。これらグリッドおよびアノードは、ＶＦＤドライバ３３から供給されるプラスのグリッドアノード電圧ＥＧＡにより、フィラメント３２１から放出された電子を引き寄せて加速する。そして、この加速した電子がアノードに塗布された蛍光体に衝突することで、発光が生じる。
【００２０】
ＶＦＤドライバ３３は、制御部４の後述する表示制御部４２に接続されている。また、ＶＦＤドライバ３３は、接地されている。
このＶＦＤドライバ３３は、表示制御部４２により制御され、ＤＣ電源装置３１から供給される電源電圧からグリッドアノード電圧ＥＧＡを生成する。そして、このグリッドアノード電圧ＥＧＡを所定のグリッドおよびアノードに選択的に供給して、蛍光表示管３２で数字、文字、図形などを表示させる。
【００２１】
蛍光表示管駆動装置３４は、フィラメント３２１を駆動する。この蛍光表示管駆動装置３４は、カットオフバイアス電圧生成部３５と、フィラメント電圧生成部３６と、を備えている。
【００２２】
カットオフバイアス電圧生成部３５は、ＤＣ電源装置３１と、フィラメント電圧生成部３６と、の間に接続されている。このカットオフバイアス電圧生成部３５は、ＤＣ電源装置３１からの電源電圧からカットオフバイアス電圧ＥＫを生成する。
そして、カットオフバイアス電圧生成部３５は、バイアス用ツェナーダイオード３５１と、ＰＮＰ型のバイアス用トランジスタ３５２と、バイアス用抵抗３５３と、を備えている。
【００２３】
バイアス用ツェナーダイオード３５１の入力端子は、ＤＣ電源装置３１と、ＶＦＤドライバ３３との接続点に接続されている。また、出力端子は、バイアス用トランジスタ３５２のベースに接続されている。
バイアス用トランジスタ３５２のエミッタは、フィラメント電圧生成部３６を構成する後述のフィラメント用ツェナーダイオード３６１の入力端子に接続されている。また、コレクタは、ＤＣ電源装置３１と、バイアス用ツェナーダイオード３５１の入力端子と、ＶＦＤドライバ３３との接続点に接続されている。
バイアス用抵抗３５３の一端は、バイアス用ツェナーダイオード３５１の出力端子と、バイアス用トランジスタ３５２のベースとの接続点に接続されている。また、他端は、接地されている。
【００２４】
フィラメント電圧生成部３６は、蛍光表示管３２と、カットオフバイアス電圧生成部３５と、の間に接続されている。このフィラメント電圧生成部３６はＤＣ電源装置３１からの電源電圧からフィラメント電圧ＥＦを生成して、フィラメント３２１へ供給する。
そして、フィラメント電圧生成部３６は、フィラメント用ツェナーダイオード３６１と、ＰＮＰ型のフィラメント用トランジスタ３６２と、フィラメント用抵抗３６３と、ダイオード用補助抵抗３６４と、を備えている。
【００２５】
フィラメント用ツェナーダイオード３６１の入力端子は、ＤＣ電源装置３１と、フィラメント３２１のマイナス端子３２１Ａとの接続点に接続されている。また、出力端子は、フィラメント用トランジスタ３６２のベースに接続されている。
フィラメント用トランジスタ３６２のエミッタは、フィラメント３２１のプラス端子３２１Ｂに接続されている。また、コレクタは、フィラメント用ツェナーダイオード３６１の入力端子と、マイナス端子３２１Ａとの接続点に接続されている。
フィラメント用抵抗３６３の一端は、プラス端子３２１Ｂと、フィラメント用トランジスタ３６２のエミッタとの接続点に接続されている。また、他端は、接地されている。
ダイオード用補助抵抗３６４の一端は、フィラメント用ツェナーダイオード３６１の出力端子と、フィラメント用トランジスタ３６２のベースとの接続点に接続されている。また、他端は、接地されている。
【００２６】
制御部４は、図１に示すように、処理部としての音声出力制御部４１と、表示制御部４２と、を備えている。
音声出力制御部４１は、再生した楽曲をスピーカ２から出力させる。
表示制御部４２は、音声出力制御部４１での処理内容を認識して、この処理内容を表示させるための制御信号を表示装置３のＶＦＤドライバ３３へ出力する。
【００２７】
［オーディオ装置の動作］
次に、オーディオ装置１の動作として、表示装置３の動作について説明する。
【００２８】
まず、ＤＣ電源装置３１からマイナスの電源電圧を供給すると、ＤＣ電源装置３１と、バイアス用抵抗３５３の他端との間に電位差が生じて、バイアス用抵抗３５３、バイアス用ツェナーダイオード３５１を通り、ＤＣ電源装置３１に到達する第１の電流Ｉ１が流れる。このとき、バイアス用ツェナーダイオード３５１には、第１の電流Ｉ１が逆方向に流れる。そして、この第１の電流Ｉ１により、バイアス用ツェナーダイオード３５１に第１のツェナー電圧ＥＺ１が発生する。
さらに、第１の電流Ｉ１が流れると、バイアス用トランジスタ３５２のベースに第１のベース電流が流れ、バイアス用トランジスタ３５２がオン状態となる。
【００２９】
また、ＤＣ電源装置３１と、ダイオード用補助抵抗３６４の他端との間に電位差が生じて、ダイオード用補助抵抗３６４、フィラメント用ツェナーダイオード３６１、バイアス用トランジスタ３５２のエミッタ、コレクタを通り、ＤＣ電源装置３１に到達する第２の電流Ｉ２が流れる。そして、フィラメント用ツェナーダイオード３６１に第２の電流Ｉ２が逆方向に流れると、フィラメント用ツェナーダイオード３６１に第２のツェナー電圧ＥＺ２が発生する。
さらに、バイアス用トランジスタ３５２のベースと、エミッタとの間に、第１のベースエミッタ間電圧ＥＢＥ１が発生する。そして、この第１のベースエミッタ間電圧ＥＢＥ１と、第１のツェナー電圧ＥＺ１との和が、カットオフバイアス電圧ＥＫとなる。
さらに、第２の電流Ｉ２が流れると、フィラメント用トランジスタ３６２のベースに第２のベース電流が流れ、フィラメント用トランジスタ３６２がオン状態となる。
【００３０】
ここで、第１の電流Ｉ１や第１のベース電流の量が変化しても、第１のツェナー電圧ＥＺ１および第１のベースエミッタ間電圧ＥＢＥ１は、変化しない。つまり、カットオフバイアス電圧ＥＫは、電流量の変化によらず一定となる。
【００３１】
また、ＤＣ電源装置３１と、フィラメント用抵抗３６３の他端との間に電位差が生じて、フィラメント用抵抗３６３、フィラメント用トランジスタ３６２のエミッタ、コレクタ、バイアス用トランジスタ３５２のエミッタ、コレクタを通り、ＤＣ電源装置３１に到達する第３の電流Ｉ３が流れる。
そして、フィラメント用トランジスタ３６２のベースと、エミッタとの間に、第２のベースエミッタ間電圧ＥＢＥ２が発生する。
【００３２】
また、ＤＣ電源装置３１と、フィラメント用抵抗３６３の他端との間に電位差が生じて、フィラメント用抵抗３６３、フィラメント３２１のプラス端子３２１Ｂ、マイナス端子３２１Ａ、バイアス用トランジスタ３５２のエミッタ、コレクタを通り、ＤＣ電源装置３１に到達する第４の電流Ｉ４が流れる。
このとき、フィラメント３２１のプラス端子３２１Ｂとマイナス端子３２１Ａとの間に、フィラメント電圧ＥＦが発生する。さらに、フィラメント用抵抗３６３に、第３，第４の電流Ｉ３，Ｉ４の電流値と、フィラメント用抵抗３６３の抵抗値との積から求まる嵩上げ電圧ＥＬが発生する。
【００３３】
ここで、フィラメント電圧ＥＦは、第２のベースエミッタ間電圧ＥＢＥ２と、第２のツェナー電圧ＥＺ２との和と等しくなる。また、フィラメント用トランジスタ３６２のエミッタと、コレクタとの間に発生する第２のエミッタコレクタ間電圧ＥＥＣ２も、第２のベースエミッタ間電圧ＥＢＥ２と、第２のツェナー電圧ＥＺ２との和と等しくなる。
【００３４】
ここで、第２のツェナー電圧ＥＺ２および第２のベースエミッタ間電圧ＥＢＥ２は、第２の電流Ｉ２や第２のベース電流の量が変化しても一定となる。つまり、フィラメント電圧ＥＦおよび第２のエミッタコレクタ間電圧ＥＥＣ２は、電流量の変化によらず一定となる。
【００３５】
具体的には、例えば環境温度の変化などにより、フィラメント３２１の抵抗値が大きくなった場合、以下のように動作する。
フィラメント３２１の抵抗値が大きくなると、フィラメント用トランジスタ３６２に電流が流れやすくなり、第３の電流Ｉ３の量が増える。また、第３の電流Ｉ３と第４の電流Ｉ４との和は常に一定なので、第４の電流Ｉ４の量が減ってしまう。
ここで、第２のツェナー電圧ＥＺ２および第２のベースエミッタ間電圧ＥＢＥ２は、常に一定である。このことから、フィラメント３２１の抵抗値が大きくなって、第４の電流Ｉ４の量が減ったとしても、フィラメント電圧ＥＦは、常に一定となる。
また、フィラメント３２１の抵抗値が小さくなった場合、フィラメント用トランジスタ３６２に電流が流れにくくなり、第３の電流Ｉ３の量が減って、第４の電流Ｉ４の量が増えてしまう。しかし、上述のような作用により、フィラメント電圧ＥＦは常に一定となる。
【００３６】
［オーディオ装置の作用効果］
以上のオーディオ装置１の表示装置３によれば、以下の作用効果が期待できる。
【００３７】
（１）蛍光表示管３２を駆動する蛍光表示管駆動装置３４に、ＤＣ電源装置３１からの電源電圧からフィラメント電圧ＥＦを生成するフィラメント電圧生成部３６を設けている。さらに、このフィラメント電圧生成部３６を、フィラメント用ツェナーダイオード３６１と、ＰＮＰ型のフィラメント用トランジスタ３６２と、フィラメント用抵抗３６３と、で構成している。そして、フィラメント用ツェナーダイオード３６１の入力端子を、ＤＣ電源装置３１と、フィラメント３２１のマイナス端子３２１Ａとの接続点に接続し、出力端子を、フィラメント用トランジスタ３６２のベースに接続している。さらに、フィラメント用トランジスタ３６２のエミッタを、フィラメント３２１のプラス端子３２１Ｂに接続し、コレクタを、フィラメント用ツェナーダイオード３６１の入力端子と、マイナス端子３２１Ａとの接続点に接続している。そして、フィラメント用抵抗３６３の一端を、プラス端子３２１Ｂと、フィラメント用トランジスタ３６２のエミッタとの接続点に接続し、他端を、接地させている。
このため、トランスを用いていないので、低コスト化を容易に図ることができる。また、フィラメント用トランジスタ３６２をスイッチング素子として利用していなく、かつ、トランスを用いていないので、ノイズを発生させることもない。
そして、ＥＭＩ（Electro Magnetic Interference：電磁妨害）ノイズ対策として用いることができ、利用拡大を容易に図ることができる。
さらに、フィラメント用ツェナーダイオード３６１と、フィラメント用トランジスタ３６２とでフィラメント電圧ＥＦを一定にする構成としているので、使用環境などによりフィラメント３２１の抵抗値が変化したとしても、フィラメント３２１の加熱状態を一定にすることができる。したがって、フィラメント３２１から放出される電子量を一定にすることができ、表示の明るさのばらつきを抑制できる。
【００３８】
（２）フィラメント電圧生成部３６に、ダイオード用補助抵抗３６４を設けている。そして、このダイオード用補助抵抗３６４の一端を、フィラメント用ツェナーダイオード３６１の出力端子と、フィラメント用トランジスタ３６２のベースとの接続点に接続し、他端を、接地させている。
このため、フィラメント用ツェナーダイオード３６１に第２の電流Ｉ２を流れやすくさせることができ、第２のツェナー電圧ＥＺ２を安定させることができる。したがって、フィラメント電圧ＥＦをより安定させることができ、表示の明るさのばらつきをより抑制できる。
【００３９】
（３）蛍光表示管駆動装置３４に、電源電圧からカットオフバイアス電圧ＥＫを生成するカットオフバイアス電圧生成部３５を設けている。そして、このカットオフバイアス電圧生成部３５を、ＤＣ電源装置３１と、フィラメント電圧生成部３６と、の間に設けている。
このため、カットオフバイアス電圧ＥＫによりフィラメント電圧ＥＦの電位を持ち上げることで、アノードやグリッドにグリッドアノード電圧ＥＧＡが供給されていないときに、フィラメント３２１から電子が放出することを防止できる。したがって、発光させたくないアノードが発光することがなく、各種情報を適切に表示できる。
また、１個のＤＣ電源装置３１で、グリッド、アノード、フィラメント３２１を駆動させることができ、構成の簡略化を図ることができる。
【００４０】
（４）カットオフバイアス電圧生成部３５を、バイアス用ツェナーダイオード３５１と、ＰＮＰ型のバイアス用トランジスタ３５２と、バイアス用抵抗３５３と、で構成している。
このため、一般的に安価で入手可能な部品を用いてカットオフバイアス電圧生成部３５を構成しているので、低コスト化を容易に図ることができる。
【００４１】
（５）表示装置３を、ＤＣ電源装置３１と、蛍光表示管３２と、ＶＦＤドライバ３３と、蛍光表示管駆動装置３４と、で構成している。そして、ＶＦＤドライバ３３を、ＤＣ電源装置３１と、バイアス用ツェナーダイオード３５１の入力端子と、バイアス用トランジスタ３５２のコレクタと、の接続点に接続させている。
このため、ノイズの発生を抑制できる蛍光表示管駆動装置３４を用いているので、ＥＭＩノイズ対策が施された表示装置３を提供できる。
さらに、ＤＣ電源装置３１に接続された１本の導線を用いることで、電源電圧を、ＶＦＤドライバ３３と、蛍光表示管駆動装置３４と、に供給できるので、導線の本数を減らすことができる。
【００４２】
（６）オーディオ装置１の動作内容を表示させる構成として、表示装置３を適用している。
このため、ＥＭＩノイズ対策が施されたオーディオ装置１を提供できる。
また、ノイズの発生を抑制できる蛍光表示管駆動装置３４を、オーディオ装置１に適用しているので、蛍光表示管駆動装置３４からのノイズによる音質の低下を防止できる。
【００４３】
［他の実施形態］
なお、本発明は前述の一実施形態に限定されるものではなく、本発明の目的を達成できる範囲での変形、改良等は本発明に含まれるものである。
【００４４】
すなわち、図３に示すような構成としてもよい。
この図３に示す表示装置５は、ＤＣ電源装置３１と、蛍光表示管３２と、ＶＦＤドライバ３３と、フィラメント電圧生成部３６のみで構成された蛍光表示管駆動装置５４と、ＤＣ電源装置５１と、を備えている。ＤＣ電源装置３１は、ＶＦＤドライバ３３のみに接続されている。ＤＣ電源装置５１は、フィラメント用ツェナーダイオード３６１の入力端子と、フィラメント用トランジスタ３６２のコレクタと、フィラメント３２１のマイナス端子３２１Ａと、の接続点に接続されている。
このような構成にしても、ノイズを発生させることがなく、低コスト化を容易に図ることができる表示装置５を提供できる。また、環境温度などによらずフィラメント電圧ＥＦを一定にでき、表示の明るさのばらつきを抑制できる。
【００４５】
また、フィラメント用抵抗３６３のかわりに、発光ダイオードを用いてもよい。
このような構成にすれば、消費電力を削減できる。
【００４６】
そして、本発明の表示装置を、ＣＤ（Compact Disc）やＤＶＤ（Digital Versatile Disc）あるいはＢＤ（Blu-ray Disc：ブルーレイディスク）またはＨＤ−ＤＶＤ（High Definition DVD）などを再生したり、これらにデータを記録したりする装置、ナビゲーション装置、携帯電話、家電製品などの電子機器に適用してもよい。
【００４７】
その他、本発明の実施の際の具体的な構造および手順は、本発明の目的を達成できる範囲で他の構造などに適宜変更できる。
【００４８】
［実施形態の作用効果］
上記したように、蛍光表示管３２を駆動する蛍光表示管駆動装置３４に、ＤＣ電源装置３１からの電源電圧からフィラメント電圧ＥＦを生成するフィラメント電圧生成部３６を設けている。さらに、このフィラメント電圧生成部３６を、フィラメント用ツェナーダイオード３６１と、ＰＮＰ型のフィラメント用トランジスタ３６２と、フィラメント用抵抗３６３と、で構成している。
このため、トランスを用いていないので、低コスト化を容易に図ることができる。また、フィラメント用トランジスタ３６２をスイッチング素子として利用していなく、かつ、トランスを用いていないので、ノイズを発生させることもない。
さらに、フィラメント用ツェナーダイオード３６１と、フィラメント用トランジスタ３６２とでフィラメント電圧ＥＦを一定にする構成としているので、使用環境などによりフィラメント３２１の抵抗値が変化したとしても、フィラメント３２１の加熱状態を一定にすることができる。したがって、フィラメント３２１から放出される電子量を一定にすることができ、表示の明るさのばらつきをなくすことができる。
【図面の簡単な説明】
【００４９】
【図１】本発明の一実施形態に係るオーディオ装置の概略構成を示すブロック図である。
【図２】前記一実施形態における表示装置の概略構成を示す模式図である。
【図３】本発明の他の実施形態に係る表示装置の概略構成を示す模式図である。
【符号の説明】
【００５０】
１…電子機器としてのオーディオ装置
３，５…表示装置
４…制御部
３１，５１…ＤＣ電源装置
３２…蛍光表示管
３３…グリッドアノード駆動装置としてのＶＦＤドライバ
３４，５４…蛍光表示管駆動装置
３５…カットオフバイアス電圧生成部
３６…フィラメント電圧生成部
４１…処理部としての音声出力制御部
４２…表示制御部
３２１…フィラメント
３５１…バイアス用ツェナーダイオード
３５２…バイアス用トランジスタ
３５３…バイアス用抵抗
３６１…フィラメント用ツェナーダイオード
３６２…フィラメント用トランジスタ
３６３…フィラメント用抵抗
３６４…ダイオード用補助抵抗
【図１】
2009150918.tif 000003
【図２】
2009150918.tif 000004
【図３】
2009150918.tif 000005